(57)【要約】【課題】  クラフト体を単体で用いて遊んだり、また、クラフト体を絵本のページシートに装着して同絵本のポップアップ体として用いることもできる新たなクラフト体を提供する。【解決手段】  折り畳み線５より２つ合わせに折り畳みできる台紙本体３上に、所定の部材に設けた折り畳み線４より２つ合わせに折り畳みできるクラフト本体２を、クラフト本体２の折り畳み線４を台紙本体３の折り畳み線５の線上に合わせて貼りつけてクラフト体を構成し、かつ、台紙本体３を開にして折り畳まれたクラフト本体２を立体にした際、クラフト本体２にそれぞれ設けるロック片６とスリット７を係合させて、クラフト本体２が立体に、かつ、台紙本体３がほぼ平面に維持される。【選択図】  図１
2011194006.tif 000002
【特許請求の範囲】
【請求項１】
折り畳み線より２つ合わせに折り畳みできる台紙上に、折り畳み線より２つ合わせに折り畳みできるクラフト本体を、クラフト本体の折り畳み線を台紙の折り畳み線の線上に合わせて設けて、台紙の開閉動作に従動してクラフト本体が立体になりまた少なくとも一部が折り畳んだ台紙の間に折り畳まれるように構成してなり、前記台紙を開いて折り畳まれたクラフト本体を立体にする際、同クラフト本体にそれぞれ設けたロック片とスリットが次第に接近して行ってロック片がスリット内に係合し、クラフト本体が立体に、かつ、台紙がほぼ平面に維持されるように構成してなるクラフト体。
【請求項２】
前記スリットを設けるスリット形成部材およびロック片を設けるロック片形成部材には、それぞれが２つ合わせに折り畳みできるようクラフト本体の折り畳み線の線上に位置する折り畳み線が設けられ、かつ、これらスリット形成部材およびロック片形成部材は、それぞれに設けた折り畳み線の配置方向線が所定の角度で交差するように配してなる請求項１に記載のクラフト体。
【請求項３】
前記ロック片形成部材およびスリット形成部材は、それぞれの一方を他方の谷折り側に配してなる請求項１に記載のクラフト体。
【請求項４】
前記配置方向線が、ほぼ９０度で交差してなる請求項２に記載のクラフト体。
【請求項５】
前記ロック片とスリットの係合が、前記台紙を閉じることにより、同ロック片とスリットの係合を強制解除できるように構成してなる請求項１に記載のクラフト体。
【請求項６】
前記クラフト本体に、所望のキャラクタ等を表示するプレート体を立設できるように構成してなる請求項１に記載のクラフト体。
【請求項７】
折り畳み線より２つ合わせに折り畳みできる台紙上に、折り畳み線より２つ合わせに折り畳みできるクラフト本体を、クラフト本体の折り畳み線を台紙の折り畳み線の線上に合わせて設け、台紙の開閉動作に従動してクラフト本体が立体になりまた少なくとも一部が折り畳んだ台紙の間に折り畳まれるように構成してなり、前記台紙を開いて折り畳まれたクラフト本体を立体にする際、同クラフト本体にそれぞれ設けたロック片とスリットが次第に接近して行ってロック片がスリット内に係合し、クラフト本体を立体に、かつ、台紙をほぼ平面に維持できるようにしてなるクラフト体を、絵本における折り線を介して隣り合う所定のページシート面にそれぞれ設ける係着手段に、同クラフト体における台紙の折り畳み線を絵本の折り線の上に合わせて台紙を取り外しできるように係着してなり、同ページシートの開閉に従動してクラフト体の台紙が開閉し、かつ、台紙の開閉に従動してクラフト本体が立体になりまた少なくとも一部が左右台紙の間に平坦に折り畳まれるように構成してなる絵本。
【請求項８】
前記クラフト体を用いて遊ぶことができるプレイマットを備えてなる請求項７に記載の絵本。
【請求項９】
前記プレイマットに、絵本に登場するキャラクタ等を表示するプレート体を立設できるように構成してなる請求項７に記載の絵本。
【請求項１０】
前記ページシート乃至クラフト体に、絵本に登場するキャラクタ等を表示するプレート体を立設できるように構成してなる請求項７に記載の絵本。
【請求項１１】
前記スリットを設けるスリット形成部材およびロック片を設けるロック片形成部材には、それぞれが２つ合わせに折り畳みできるようクラフト本体の折り畳み線の線上に位置する折り畳み線が設けられ、かつ、これらスリット形成部材およびロック片形成部材は、それぞれに設けた折り畳み線の配置方向線が所定の角度で交差するように配してなる請求項７に記載の絵本。
【請求項１２】
前記ロック片形成部材およびスリット形成部材は、それぞれの一方を他方の谷折り側に配してなる請求項１１に記載のクラフト体。
【請求項１３】
前記配置方向線が、ほぼ９０度で交差してなる請求項１１に記載の絵本。
【請求項１４】
前記ロック片とスリットの係合を、台紙を閉じることにより、同ロック片とスリットの係合を強制解除できるように構成してなる請求項７に記載の絵本。
【発明の詳細な説明】
【技術分野】
【０００１】
本発明は、未使用時には平坦に折り畳むことができ、使用時にはワンタッチで立体にすることができる幼児期の子供向けのクラフト体に関し、より詳しくは、クラフト体を単体で用いて遊んだり、また、絵本のページシートに装着して同絵本のポップアップ体として用いることができるクラフト体およびこのクラフト体を設けた絵本に関する。
【背景技術】
【０００２】
従来、紙等の素材からなる例えば乗物等の形状にしたクラフト体は、これを単体で用いて遊ぶのが一般的であった（例えば、特許文献１参照）。
【０００３】
また、絵本に付録等として添付しているクラフト体は、例えば、組み立てたクラフト体を絵本のページシート上や絵本の脇に置いて、絵本の物語に合わせて適宜に動かして遊ぶのが一般的であった。
【０００４】
そして、絵本には物語に登場するキャラクタや乗物等の印象を強くするため、ページシートを開くことによりキャラクタや乗物等がページシート上に立体で形成されるポップアップ式の絵本もあるが、ポップアップ部分をページシートから取り外して遊ぶことはできなかった（例えば、特許文献２参照）。
【先行技術文献】
【特許文献】
【０００５】
【特許文献１】特開２００９−２７９１２７号公報（第１〜１２頁、図１〜１２）
【特許文献２】特開２００３−７１１５１号公報（第１〜４頁、図１〜４）
【発明の概要】
【発明が解決しようとする課題】
【０００６】
本発明の目的とするところは、クラフト体を単体で用いて遊んだり、また、クラフト体を絵本のページシートに装着して同絵本のポップアップ体として用いることもできる新たなクラフト体を提供できるようにすることにある。
【課題を解決するための手段】
【０００７】
上述した課題を解決するために、本発明に係るクラフト体は、折り畳み線より２つ合わせに折り畳みできる台紙上に、折り畳み線より２つ合わせに折り畳みできるクラフト本体を、クラフト本体の折り畳み線を台紙の折り畳み線の線上に合わせて設け、台紙の開閉動作に従動してクラフト本体が立体になりまた少なくとも一部が折り畳んだ台紙の間に折り畳まれるように構成してなり、前記台紙を開いて折り畳まれたクラフト本体を立体にする際、同クラフト本体にそれぞれ設けたロック片とスリットが次第に接近して行ってロック片がスリット内に係合し、クラフト本体が立体に、かつ、台紙がほぼ平面に維持されるように構成したものとしてある。
【０００８】
また、前記スリットを設けるスリット形成部材およびロック片を設けるロック片形成部材には、それぞれが２つ合わせに折り畳みできるようクラフト本体の折り畳み線の線上に位置する折り畳み線が設けられ、かつ、これらスリット形成部材およびロック片形成部材は、それぞれに設けた折り畳み線の配置方向線が所定の角度で交差するよう配していて、例えば、ほぼ９０度で交差するようロック片形成部材をスリット形成部材の谷折り側に配したものとしてある。
【０００９】
また、前記ロック片とスリットの係合が、前記台紙を閉じることにより、同ロック片とスリットの係合を強制解除できるように構成したものとしてある。
【００１０】
また、前記クラフト本体に、所望のキャラクタ等を表示するプレート体を立設できるように構成したものとしてある。
【００１１】
さらに、前記クラフト体を設けた絵本として、折り畳み線より２つ合わせに折り畳みできる台紙上に、折り畳み線より２つ合わせに折り畳みできるクラフト本体を、クラフト本体の折り畳み線を台紙の折り畳み線の線上に合わせて設け、台紙の開閉動作に従動してクラフト本体が立体になりまた少なくとも一部が折り畳んだ台紙の間に折り畳まれるように構成してなり、前記台紙を開いて折り畳まれたクラフト本体を立体にする際、同クラフト本体にそれぞれ設けたロック片とスリットが次第に接近して行ってロック片がスリット内に係合し、クラフト本体を立体に、かつ、台紙をほぼ平面に維持できるようにしてなるクラフト体を、絵本における折り線を介して隣り合う所定のページシート面にそれぞれ設ける係着手段に、同クラフト体における台紙の折り畳み線を絵本の折り線の上に合わせて台紙を取り外しできるように係着してなり、同ページシートの開閉に従動してクラフト体の台紙が開閉し、かつ、台紙の開閉に従動してクラフト本体が立体になりまた少なくとも一部が左右台紙の間に平坦に折り畳まれるように構成したものとしてある。
【００１２】
また、前記クラフト体を用いて遊ぶことができるプレイマットを備えたものとしてある。
【００１３】
また、前記プレイマットに、絵本に登場するキャラクタ等を表示するプレート体を立設できるように構成したものとしてある。
【００１４】
また、前記ページシート乃至クラフト体に、絵本に登場するキャラクタ等を表示するプレート体を立設できるように構成したものとしてある。
【００１５】
また、前記スリットを設けるスリット形成部材およびロック片を設けるロック片形成部材には、それぞれが２つ合わせに折り畳みできるようクラフト本体の折り畳み線の線上に位置する折り畳み線が設けられ、かつ、これらスリット形成部材およびロック片形成部材は、それぞれに設けた折り畳み線の配置方向線が所定の角度で交差するよう配していて、例えば、ほぼ９０度で交差するようロック片形成部材をスリット形成部材の谷折り側に配したものとしてある。
【００１６】
また、前記ロック片とスリットの係合が、前記台紙を閉じることにより、同ロック片とスリットの係合を強制解除できるように構成したものとしてある。
【発明の効果】
【００１７】
本発明に係るクラフト体およびこのクラフト体を設けた絵本によれば、クラフト体を単体で用いて遊ぶことや、絵本のページシートに装着して同絵本のポップアップ体として用いることができる。
【００１８】
したがって、クラフト体を単体で用いる場合は、平坦に折り畳まれて収納しているクラフト体を、同クラフト本体たる例えば乗物であれば自動車や電車等をワンタッチで立体にして遊ぶことができ、また、収納する場合も、例えば、平坦に折り畳んで本棚等に縦置きで収納することができる。
【００１９】
そして、クラフト本体を台紙上に設けることにより、同クラフト本体を持たずに台紙を持って立体にすることができるので、同クラフト本体を立体にする際に変形させてしまう恐れを少なくできる。
【００２０】
また、クラフト本体を台紙上に設けることにより、クラフト本体を例えば高層ビルやボール等の立置が不安定な形状のものにする場合であっても、台紙によりクラフト本体を安定して立置できて、遊んでいる際に不意に転倒したり、また、どこかへ転がってしまう恐れを少なくできる。
【００２１】
そして、クラフト体を絵本のページシートに装着して同絵本のポップアップ体として用いる場合は、従来のポップアップ体を設けた絵本のように、絵本を開くことにより物語に登場するものが立体としてページシート上に形成できるので、子供に与える印象を大にできるのは勿論であるが、かつ、この立体物をページシートより取り外してクラフト体として単体で遊ぶことができるので、例えば、クラフト体が立体物として絵本のページシート上にある場合は、子供は、ページシート上にポップアップした物語の流れの中で登場するものとして立体物を見ることができ、そして、立体物をページシート上から取り外して単体のクラフト体とすれば、物語の流れの中で登場するものとして見れることに加えて、取り外したクラフト体を物語の流れの中で適当に移動させて登場させる場面を子供自身が決めることもできるので、子供の創造性の育成に寄与できる。
【００２２】
また、絵本に限らず図鑑等にも応用することもでき、例えば、乗物図鑑である場合は、ページシートを開くことによって例えば自動車や船や飛行機等がポップアップしてこれらを立体的に見せることができ、そして、立体物をページシートより取り外して単体のクラフト体とすれば、このクラフト体を用いて例えばクラフト体が自動車であれば自動車の動き、例えば、自動車が曲がる時は前のタイヤよりも後ろのタイヤが前のタイヤよりも内側を通る（内輪差）等の子供に第一に教えたい交通安全についての教材にもできる。
【図面の簡単な説明】
【００２３】
【図１】本発明に係るクラフト体の実施例を示す斜視図。
【図２】折り畳み途中のクラフト体を示す斜視図。
【図３】ロック片とスリットとの係合動作を説明する斜視図。
【図４】クラフト体を設けた絵本の実施例を示す斜視図。
【図５】クラフト体をページシートより取り外した絵本を示す斜視図。
【図６】絵本のプレイマットを広げた状態を示す斜視図。
【図７】キャラクタプレートを取り付けたクラフト体を示す斜視図。
【発明を実施するための形態】
【００２４】
本発明に係るクラフト体およびこのクラフト体を設けた絵本を、以下、添付図面に基づいて説明する。
【００２５】
図１は、紙材等の薄板体より形成され、平坦に折り畳んで収納しているものを広げて立体にしたクラフト体を示していて、クラフト体１を、クラフト本体２と台紙本体３より構成している。
【００２６】
前記クラフト本体２は、クラフト本体２を構成する所定の部材に設ける折り畳み線４によって、同折り畳み線４よりクラフト本体２を２つ合わせに折り畳みできるようにしている。
【００２７】
前記台紙本体３は、台紙本体３の中央に設ける折り畳み線５によって、同折り畳み線５より左右台紙３ａ、３ａ´を２つ合わせに折り畳みできるようにしている。
【００２８】
そして、クラフト本体２の折り畳み線４を台紙本体３の折り畳み線５の線上に一致させてクラフト本体２を台紙本体３の上に貼り付けている。
【００２９】
また、クラフト本体２には、これを立体にした際の状態を維持しておけるようにロック片６と、ロック片６が係合するスリット７を設けている。
【００３０】
そして、ロック片６を設けるロック片形成部材６ａおよびスリット７を設けるスリット形成部材７ａには、クラフト本体２の折り畳み線になる折り畳み線４を設けていて、ロック片形成部材６ａおよびスリット形成部材７ａを２つ合わせに折り畳みできるようにしている。
実施例では、ロック片形成部材６ａをスリット形成部材７ａの谷折り側に配置している。
【００３１】
したがって、ロック片形成部材６ａは、同部材に設けた折り畳み線４によってクラフト本体２または台紙本体３の折り畳み方向と同じ方向に２つ合わせに折り畳みでき、また、スリット形成部材７ａは、同部材に設けた折り畳み線４によってクラフト本体２の折り畳み線４の延伸方向すなわち台紙本体３の折り畳み線５の延伸方向に２つ合わせに折り畳みできる（図２参照）。
すなわち、ロック片形成部材６ａの畳み線４とスリット形成部材７ａの畳み線４は、互いの配置方向線が直交している。
【００３２】
そして、ロック片６およびスリット７は、図２に示すように、クラフト本体２が図１のように立体になっていない状態ではお互いが離れた位置にある。
【００３３】
また、実施例に示すロック片６およびスリット７は、折り畳み線４を中心にこの両側に渡り設けているが、折り畳み線４の片側に少なくとも１つ、または、両側にそれぞれ少なくとも１つ設ける場合がある。
【００３４】
また、ロック片６とスリット７の係合を、クラフト本体２を立体に、かつ、台紙本体３をほぼ平面に維持できるだけの浅い係合にして、台紙本体３を閉じることにより、ロック片６とスリット７の係合を強制解除できるようにする場合がある。
【００３５】
また、クラフト本体２に、所望のキャラクタ等を表示するプレート体８を立設する装着孔９を設ける場合があり、図７は、クラフト本体２の装着孔９にプレート体８を立設した実施例である。
さらに、実施例には示していないが、台紙本体３にもプレート体８を立設する装着孔９を設ける場合がある。
【００３６】
また、被折り畳み部材は、その形状等によって折り畳み線の両側に位置する両方の部材がほぼ重なる対称形状にする場合もあるし、両方の部材が重ならない非対称形状にする場合もある。
【００３７】
以下、上述のように構成した本発明のクラフト体１の作用について説明する。
図３に示すように、この図３（ａ）に示したクラフト本体２を構成する所定の部材に設けた折り畳み線４、および、台紙本体３の中央に設けた折り畳み線５によって２つ合わせに折り畳まれたクラフト体１を立体にする場合は、クラフト体１における台紙本体３の右台紙３ａと左台紙３ａ´を手で図中の矢印Ａ、Ａ方向に開いて行く。
【００３８】
これにより、台紙本体３に貼り付けたクラフト本体２およびクラフト本体２を構成する各部材が台紙本体３の開動に従動して図３（ａ）中の矢印Ｂ、Ｂ方向に広がって行き、台紙本体３をほぼ平面状態まで開くと、図３（ｂ）に示したように、クラフト本体２を立体にできる。
【００３９】
また、台紙本体３の開きに従動してクラフト本体２およびクラフト本体２を構成する各部材が図３（ａ）中の矢印Ｂ、Ｂ方向に広がって行く時、クラフト本体２のロック片６を設けたロック片形成部材６ａの折り畳み線４が図３（ａ）中の矢印Ｃ方向に移動して行き、かつ、スリット７を設けたスリット形成部材７ａの折り畳み線４が図３（ａ）中の矢印Ｄ方向に移動して行って、ロック片６とスリット７が次第に接近して行き、台紙本体３をほぼ平面状態まで開いてクラフト本体２を立体にすると、図３（ｂ）に示したように、ロック片６がスリット７内に係合して、クラフト本体２を立体が、かつ、台紙本体３がほぼ平面に維持される。
【００４０】
そして、実施例では、ロック片形成部材６ａの畳み線４とスリット形成部材７ａの畳み線４は、互いの配置方向線が直交するように設けているが、台紙本体３をほぼ平面状態まで開いてクラフト本体２を立体にした時に、ロック片形成部材６ａのロック片６とスリット形成部材７ａのスリット７が係合できればよいので、ロック片形成部材６ａの畳み線４とスリット形成部材７ａの畳み線４における互いの配置方向線の交差角度を、クラフト本体２の形状に合わせて所望の角度で交差させる場合がある。
【００４１】
さらに、図４に示すように、絵本１０のページシート１１にクラフト体１を設けて、絵本１０のポップアップ体としている。
【００４２】
クラフト体１は、台紙本体３の折り畳み線５を絵本１０の折り線１２の上に合わせて、台紙本体３の両側すなわち左右台紙３ａ、３ａ´の一部をページシート１１、１１´に設けた係着片１３、１３´（図５を参照）にそれぞれ挟み込んで係着していて、例えば、クラフト体１を係着片１３、１３´よりスライド脱着できるようにしている。
【００４３】
したがって、クラフト体１の折り畳み線（クラフト本体の折り畳み線４および台紙本体３の折り畳み線５）と絵本１０の折り線１２が一致しているので、絵本１０のページシート１１、１１´の開閉にクラフト体１の開閉が追従できる。
【００４４】
これにより、絵本１０を閉じている場合は、クラフト体１も平坦に折り畳まれてページシート１１、１１´の間に挟まれていて、絵本１０におけるクラフト体１を設けているページシート１１、１１´を開いた場合は、ページシート１１、１１´の開動作が、係着片１３、１３´を介してこの係着片１３、１３´にそれぞれ挟み込んで係着しているクラフト体１の台紙本体３（左右台紙３ａ、３ａ´）に伝達されて台紙本体３が開かれ、かつ、台紙本体３の開きに従動してクラフト本体２が広がり立体になる。
【００４５】
また、クラフト体１は、台紙本体３をほぼ平面状態まで開いてクラフト本体２を立体にすると、図３（ｂ）に示したように、ロック片６がスリット７内に係合して、クラフト本体２を立体に、かつ、台紙本体３をほぼ平面に維持できるので、クラフト体１を立体に固定できる。
【００４６】
したがって、絵本１０におけるクラフト体１を設けているページシート１１、１１´がほぼ平面状態まで開かれて、このページシート１１、１１´に書かれている物語が進行して行く中で、図５に示したように、子供がクラフト体１をページシート１１、１１´より素早く取り外し、物語に合わせて動かしたりできる。
【００４７】
また、図６に示したように、絵本１０に所定のプレイマット１４を設けて、ページシート１１、１１´より取り外したクラフト体１で遊ぶことができるようにする場合がある。
【００４８】
実施例に示したプレイマット１４は、ページシート１１とほぼ同じ大きさに折り畳んでページシート１１とともに絵本１０に綴じ込まれたものを広げたものであるが、絵本１０の付録として絵本１０とは別体で添付する場合がある。
【００４９】
また、ページシート１１、１１´やプレイマット１４に、所望のキャラクタ等を表示するプレート体８を立設できる立設手段（例えば、クラフト本体２に設ける装着孔９）を設ける場合がある。
【００５０】
また、クラフト本体２のロック片６とスリット７の係合は、クラフト本体２を立体に、かつ、台紙本体３をほぼ平面に維持できるだけの浅い係合にして、絵本１０のページシート１１、１１´の閉じに追従する台紙本体３の閉じにより、ロック片６とスリット７の係合を強制解除できるようにするのが望ましい。
【００５１】
また、クラフト体１における台紙本体３の両側すなわち左右台紙３ａ、３ａ´の一部を挟んでクラフト体１を係着する絵本１０のページシート１１、１１´に設けた係着片１３、１３´は、実施例ではページシート１１、１１´における所定の部位に切れ込みを入れて形成しているが、クラフト体１における台紙本体３の両側すなわち左右台紙３ａ、３ａ´の少なくとも一部を着脱自在に支持できる係着部材をページシート１１、１１´上に設けて、クラフト体１の係着手段とする場合がある。
【符号の説明】
【００５２】
１  クラフト体
２  クラフト本体
３  台紙本体
３ａ  右台紙
３ａ´  左台紙
４  折り畳み線
５  折り畳み線
６  ロック片
６ａ  ロック片形成部材
７  スリット
７ａ  スリット形成部材
８  プレート体
９  装着孔
１０  絵本
１１  ページシート
１１´  ページシート
１２  折り線
１３  係着片
１３´  係着片
１４  プレイマット
【図１】
2011194006.tif 000003
【図２】
2011194006.tif 000004
【図３】
2011194006.tif 000005
【図４】
2011194006.tif 000006
【図５】
2011194006.tif 000007
【図６】
2011194006.tif 000008
【図７】
2011194006.tif 000009